(57)【要約】【課題】災害時などの有事において印刷可能な印刷装置を災害時専用の災害情報端末として機能させること。【解決手段】サーバー６０と複数の印刷装置１０とで構成される災害情報システム１であって、サーバー６０は、印刷装置管理ＤＢ８１において印刷装置１０の位置情報を管理し、印刷装置１０は、災害が発生したことを示す信号Ｘａ，Ｘｂ，Ｘｃをサーバー６０から取得すると印刷装置１０の動作情報（残量情報データ４５、診断情報データ４６）を取得し、動作情報に基づいて印刷装置が印刷可能であるか否か判定し、印刷装置が印刷可能であると判定された場合は、印刷装置１０ａ，１０ｃが印刷可能であることを示す信号Ｒａ，Ｒｃをサーバー６０へ送信し、サーバー６０は、信号Ｒａ，Ｒｃを送信した印刷装置１０（１０ａ，１０ｃ）に対してサーバー６０で生成した提供情報データ８５ａ，８５ｃを送信する。【選択図】図１
2017077629.tif 000002
【特許請求の範囲】
【請求項１】
印刷装置であって、
サーバーと通信する通信部と、
媒体に印刷する印刷部と、
災害が発生したことを示す災害発生情報を取得する災害情報取得部と、
前記印刷装置の設置位置を示す位置情報を取得する位置情報取得部と、
前記印刷装置の動作情報を取得する動作情報取得部と、
前記動作情報に基づいて前記印刷装置が印刷可能であるか否か判定する判定部と、
前記災害情報取得部により前記災害発生情報が取得された場合において、前記判定部により前記印刷装置が印刷可能であると判定された場合は、前記通信部に前記印刷装置が印刷可能であることを示す印刷可能情報を前記サーバーへ送信させる主制御部と、
を備えることを特徴とする印刷装置。
【請求項２】
前記印刷可能情報には、前記印刷装置が印刷可能であることを示す信号情報、前記印刷装置の前記位置情報、および前記印刷装置の前記動作情報のうちいずれか一つが含まれることを特徴とする請求項１に記載の印刷装置。
【請求項３】
前記動作情報には、前記印刷部において消費される消耗品の残量情報および前記印刷装置の動作状態を診断する診断情報が少なくとも含まれ、
前記判定部は、前記残量情報が所定量以上で、前記診断情報が印刷可能であった場合に、動作可能であると判定することを特徴とする請求項１または請求項２に記載の印刷装置。
【請求項４】
測位用衛星から信号を受信し、測位する測位部を更に備え、
前記位置情報取得部は、前記測位部から前記位置情報を取得することを特徴とする請求項１から請求項３のいずれか一項に記載の印刷装置。
【請求項５】
前記印刷装置が設置された場合に前記位置情報を前記サーバーへ登録する登録部と、
前記印刷装置の前記位置情報を記憶する記憶部と、
を更に備え、
前記位置情報取得部は、前記記憶部から前記位置情報を取得することを特徴とする請求項１から請求項４のいずれか一項に記載の印刷装置。
【請求項６】
前記印刷装置の電源供給を管理する電源管理部を更に備え、
前記電源管理部は、前記災害情報取得部により前記災害発生情報が取得された場合に、前記印刷装置に供給する電源を切断しないように制御することを特徴とする請求項１から請求項５のいずれか一項に記載の印刷装置。
【請求項７】
前記災害情報取得部は、前記サーバーから前記災害発生情報を取得することを特徴とする請求項１から請求項６のいずれか一項に記載の印刷装置。
【請求項８】
災害が発生した場合に操作する災害発生操作部を更に備え、
前記災害情報取得部は、前記災害発生操作部による操作に基づいて、前記災害発生情報を取得することを特徴とする請求項１から請求項７のいずれか一項に記載の印刷装置。
【請求項９】
前記主制御部は、前記印刷装置を災害情報端末として動作させる災害モード、および平時において印刷端末として動作する通常モードの内部状態を有し、前記災害情報取得部により前記災害発生情報が取得された場合に、前記内部状態を前記災害モードに遷移させることを特徴とする請求項１から請求項８のいずれか一項に記載の印刷装置。
【請求項１０】
前記サーバーとの通信を制御する通信制御部を更に備え、
前記通信制御部は、前記主制御部により前記内部状態が前記災害モードに遷移された場合に、前記サーバーと災害時専用の通信を行うことを特徴とする請求項９に記載の印刷装置。
【請求項１１】
前記主制御部の前記内部状態を前記災害モードへ遷移させること、を許可するか否かの設定を記憶する許可設定記憶部を更に備え、
前記主制御部は、前記災害情報取得部により前記災害発生情報が取得された場合において、前記許可設定記憶部が許可する設定である場合は、前記内部状態を前記災害モードへ遷移させ、前記許可設定記憶部が許可しない設定の場合は、前記内部状態を前記通常モードへ遷移させることを特徴とする請求項９または請求項１０に記載の印刷装置。
【請求項１２】
サーバーと通信する通信工程と、
媒体に印刷する印刷工程と、
災害が発生したことを示す災害発生情報を取得する災害情報取得工程と、
印刷装置の設置位置を示す位置情報を取得する位置情報取得工程と、
前記印刷装置の動作情報を取得する動作情報取得工程と、
前記動作情報に基づいて前記印刷装置が印刷可能であるか否か判定する判定工程と、
前記災害情報取得工程により前記災害発生情報が取得された場合において、前記判定工程により前記印刷装置が印刷可能であると判定された場合は、前記通信工程に前記印刷装置が印刷可能であることを示す印刷可能情報を前記サーバーへ送信させる主制御工程と、
を備えることを特徴とする印刷方法。
【請求項１３】
印刷装置と、前記印刷装置と通信可能に接続されるサーバーと、を備える印刷システムであって、
前記サーバーは、
災害時における提供情報を生成する提供情報生成部と、
前記印刷装置の設置位置である位置情報を記憶するサーバー記憶部と、
前記印刷装置へ前記提供情報を送信するサーバー通信部と、
を備え、
前記印刷装置は、
前記サーバーと通信する通信部と、
媒体に印刷する印刷部と、
災害が発生したことを示す災害発生情報を取得する災害情報取得部と、
前記印刷装置の設置位置を示す位置情報を取得する位置情報取得部と、
前記印刷装置の動作情報を取得する動作情報取得部と、
前記動作情報に基づいて前記印刷装置が印刷可能であるか否か判定する判定部と、
前記災害情報取得部により前記災害発生情報が取得された場合において、前記判定部により前記印刷装置が印刷可能であると判定された場合は、前記通信部に前記印刷装置が印刷可能であることを示す印刷可能情報を前記サーバーへ送信させる主制御部と、
を備え、
前記サーバーは、前記印刷可能情報を送信した前記印刷装置に対して、前記提供情報を送信すること、を特徴とする印刷システム。
【発明の詳細な説明】
【技術分野】
【０００１】
本発明は、印刷装置、印刷方法、および印刷システムに関する。
【背景技術】
【０００２】
従来、特許文献１に記載のように印刷装置にＧＰＳ（Global Positioning System）センサーなどの測位部を備え、印刷装置の位置情報をサーバーで集中管理する印刷システムが知られていた。また、特許文献２に記載されているようなメール印刷の技術により、印刷装置のメールアドレス宛に送信されたメールを印刷することが可能となっていた。
【先行技術文献】
【特許文献】
【０００３】
【特許文献１】特開２００４−２１６４２号公報
【特許文献２】特開２０１２−１５９９１４号公報
【発明の概要】
【発明が解決しようとする課題】
【０００４】
災害時などにおいては、被災の場所やその規模、避難所の位置、家族の安否情報のような災害に関連した情報を印刷して掲示したり配布することが必要とされている。また、上述した特許文献１，２に記載のような、メールやインターネットを介して送信された情報を受信して印刷する印刷装置が多様な場所に設置されている。
しかしながら、災害時においてこれらの印刷装置を活用するシステムは提供されていなかった。災害時においては、印刷装置が災害の影響を受けて印刷できない印刷装置がある一方で、災害の影響を受けずに印刷可能な印刷装置もある。印刷可能な印刷装置を１台でも多く活用し、印刷可能な印刷装置の設置位置に基づいた災害情報を提供することが、災害現場にいる人々の手助けをする手立ての一つとして期待されていた。
【課題を解決するための手段】
【０００５】
本発明は、上述の課題の少なくとも一部を解決するためになされたものであり、災害時などの有事において印刷可能な印刷装置を有効に利用して、災害に関する情報を印刷物として提供することにある。
【０００６】
［適用例１］本適用例に係わる印刷装置は、サーバーと通信する通信部と、媒体に印刷する印刷部と、災害が発生したことを示す災害発生情報を取得する災害情報取得部と、前記印刷装置の設置位置を示す位置情報を取得する位置情報取得部と、前記印刷装置の動作情報を取得する動作情報取得部と、前記動作情報に基づいて前記印刷装置が印刷可能であるか否か判定する判定部と、前記災害情報取得部により前記災害発生情報が取得された場合において、前記判定部により前記印刷装置が印刷可能であると判定された場合は、前記通信部に前記印刷装置が印刷可能であることを示す印刷可能情報を前記サーバーへ送信させる主制御部と、を備えることを特徴とする。
【０００７】
本適用例によれば、災害が発生した場合に、印刷装置は動作情報を取得し、印刷可能かどうか判定する。印刷可能と判定された場合は、サーバーへ印刷可能情報を送信する。サーバー側では、印刷可能情報を送信した印刷装置が印刷可能な印刷装置であることを識別することができる。サーバー側から、災害に関する情報を当該印刷装置へ送信することで、情報を印刷することができる。
従って、災害時などの有事において印刷可能な印刷装置を有効に利用して、災害に関する情報を印刷物として提供することができる。
【０００８】
［適用例２］前記印刷可能情報には、前記印刷装置が印刷可能であることを示す信号情報、前記印刷装置の前記位置情報、および前記印刷装置の前記動作情報のうちいずれか一つが含まれることを特徴とする。
【０００９】
本適用例によれば、信号情報を受信したサーバーは、信号情報を送信した印刷装置が印刷可能であることを識別できる。位置情報を受信したサーバーは、位置情報を送信した印刷装置の位置情報に基づいた提供情報を生成することができる。動作情報を受信したサーバーは、動作情報を送信した印刷装置の動作情報に応じた提供情報を生成することができる。
【００１０】
［適用例３］前記動作情報には、前記印刷部において消費される消耗品の残量情報および前記印刷装置の動作状態を診断する診断情報が少なくとも含まれ、前記判定部は、前記残量情報が所定量以上で、前記診断情報が印刷可能であった場合に、動作可能であると判定することを特徴とする。
【００１１】
本適用例によれば、消耗品の残量情報および診断情報により、印刷装置が印刷可能であることを正確に判断することができる。
【００１２】
［適用例４］測位用衛星から信号を受信し、測位する測位部を更に備え、前記位置情報取得部は、前記測位部から前記位置情報を取得することを特徴とする。
【００１３】
本適用例によれば、測位用衛星から受信した正確な位置情報をリアルタイムに取得することができる。
【００１４】
［適用例５］前記印刷装置が設置された場合に前記位置情報を前記サーバーへ登録する登録部と、前記印刷装置の前記位置情報を記憶する記憶部と、を更に備え、前記位置情報取得部は、前記記憶部から前記位置情報を取得することを特徴とする。
【００１５】
本適用例によれば、サーバーにおいて位置情報を管理することができるため、印刷装置側から位置情報が送信されない場合であっても、サーバーは印刷装置の位置情報を把握することができる。また、例えば、印刷装置を設置する設置業者によって印刷装置の設置位置が登録された場合であっても、設定された位置情報を記憶し、サーバーへ送信することができる。
【００１６】
［適用例６］前記印刷装置の電源供給を管理する電源管理部を更に備え、前記電源管理部は、前記災害情報取得部により前記災害発生情報が取得された場合に、前記印刷装置に供給する電源を切断しないように制御することを特徴とする。
【００１７】
本適用例によれば、災害発生時において、電源の供給が遮断される虞が少なくなる。
【００１８】
［適用例７］前記災害情報取得部は、前記サーバーから前記災害発生情報を取得することを特徴とする。
【００１９】
本適用例によれば、サーバーからの情報に基づいて、災害発生を検知することができる。
【００２０】
［適用例８］災害が発生した場合に操作する災害発生操作部を更に備え、前記災害情報取得部は、前記災害発生操作部による操作に基づいて、前記災害発生情報を取得することを特徴とする。
【００２１】
本適用例によれば、印刷装置の周辺において発生した災害において、印刷装置に備えられた災害発生操作部の操作により、速やかに災害発生を検知することができる。
【００２２】
［適用例９］前記主制御部は、前記印刷装置を災害情報端末として動作させる災害モード、および平時において印刷端末として動作する通常モードの内部状態を有し、前記災害情報取得部により前記災害発生情報が取得された場合に、前記内部状態を前記災害モードに遷移させることを特徴とする。
【００２３】
本適用例によれば、災害時には災害モードのみを稼動させることができる。例えば、災害モードにおいては、災害時に必要な機能を優先して実現させることができる。
【００２４】
［適用例１０］前記サーバーとの通信を制御する通信制御部を更に備え、前記通信制御部は、前記主制御部により前記内部状態が前記災害モードに遷移された場合に、前記サーバーと災害時専用の通信を行うことを特徴とする。
【００２５】
本適用例によれば、災害時に災害時専用の通信を行うことができるため、例えば、通常時通信の割り込み等が抑制された緊急性の高い通信を可能とする。
【００２６】
［適用例１１］前記主制御部の前記内部状態を前記災害モードへ遷移させること、を許可するか否かの設定を記憶する許可設定記憶部を更に備え、前記主制御部は、前記災害情報取得部により前記災害発生情報が取得された場合において、前記許可設定記憶部が許可する設定である場合は、前記内部状態を前記災害モードへ遷移させ、前記許可設定記憶部が許可しない設定の場合は、前記内部状態を前記通常モードへ遷移させることを特徴とする。
【００２７】
本適用例によれば、印刷装置を災害時に専用の情報端末として利用することを許可させないようにすることができる。災害時に他の別の用途で印刷装置を利用したい場合に有効な機能である。
【００２８】
［適用例１２］本適用例に係わる印刷方法は、サーバーと通信する通信工程と、媒体に印刷する印刷工程と、災害が発生したことを示す災害発生情報を取得する災害情報取得工程と、印刷装置の設置位置を示す位置情報を取得する位置情報取得工程と、前記印刷装置の動作情報を取得する動作情報取得工程と、前記動作情報に基づいて前記印刷装置が印刷可能であるか否か判定する判定工程と、前記災害情報取得工程により前記災害発生情報が取得された場合において、前記判定工程により前記印刷装置が印刷可能であると判定された場合は、前記通信工程に前記印刷装置が印刷可能であることを示す印刷可能情報を前記サーバーへ送信させる主制御工程と、を備えることを特徴とする。
【００２９】
本適用例によれば、災害が発生した場合に、印刷方法では、動作情報を取得し、印刷可能かどうか判定する。印刷可能と判定された場合は、サーバーへ印刷可能情報を送信する。サーバー側では、印刷可能情報を送信した印刷装置が印刷可能な印刷装置であることを識別することができる。サーバー側から、災害に関する情報を当該印刷装置へ送信することで、情報を印刷することができる。
従って、印刷方法によって、災害時などの有事において印刷可能な印刷装置を有効に利用して、災害に関する情報を印刷物として提供することができる。
【００３０】
［適用例１３］本適用例に係わる印刷システムは、印刷装置と、前記印刷装置と通信可能に接続されるサーバーと、を備える印刷システムであって、前記サーバーは、災害時における提供情報を生成する提供情報生成部と、前記印刷装置の設置位置である位置情報を記憶するサーバー記憶部と、前記印刷装置へ前記提供情報を送信するサーバー通信部と、を備え、前記印刷装置は、前記サーバーと通信する通信部と、媒体に印刷する印刷部と、災害が発生したことを示す災害発生情報を取得する災害情報取得部と、前記印刷装置の設置位置を示す位置情報を取得する位置情報取得部と、前記印刷装置の動作情報を取得する動作情報取得部と、前記動作情報に基づいて前記印刷装置が印刷可能であるか否か判定する判定部と、前記災害情報取得部により前記災害発生情報が取得された場合において、前記判定部により前記印刷装置が印刷可能であると判定された場合は、前記通信部に前記印刷装置が印刷可能であることを示す印刷可能情報を前記サーバーへ送信させる主制御部と、を備え、前記サーバーは、前記印刷可能情報を送信した前記印刷装置に対して、前記提供情報を送信すること、を特徴とする。
【００３１】
本適用例によれば、災害が発生した場合に、印刷装置は動作情報を取得し、印刷可能かどうか判定する。印刷可能と判定された場合は、サーバーへ印刷可能情報を送信する。サーバー側では、印刷可能情報を送信した印刷装置が印刷可能な印刷装置であることを識別することができる。サーバー側から、災害に関する情報を当該印刷装置へ送信することで、情報を印刷することができる。
従って、災害時などの有事において印刷可能な印刷装置を有効に利用して、災害に関する情報を印刷物として提供することができる。
【図面の簡単な説明】
【００３２】
【図１】災害情報システムの概要を表す説明図。
【図２】災害情報システムの概略構成を表すブロック図。
【図３】災害情報システムの処理を表すシーケンス図。
【図４】提供情報の印刷出力例を示す図。
【図５】提供情報の印刷出力例を示す図。
【図６】通常モードおよび災害モードの概要を説明する図。
【発明を実施するための形態】
【００３３】
以下、本発明の実施形態について、図面を参照して説明する。なお、以下の各図においては、各部や各画面を認識可能な程度の大きさにするため、各部や各画面の尺度を実際とは異ならせしめている。
【００３４】
（実施形態１）
図１は、災害情報システムの概要を表す説明図である。
図１に示す印刷システムとしての災害情報システム１は、サーバー６０と、様々な環境に設置されている複数の印刷装置１０とで構成されている。図１では、複数の印刷装置１０の一部を、印刷装置１０ａ、印刷装置１０ｂ、印刷装置１０ｃとして示している。サーバー６０と、印刷装置１０（１０ａ，１０ｂ，１０ｃ）との間は、通信２でデータ通信可能に接続されている。通信２は、一般的なイントラネットやインターネット通信網である。
【００３５】
印刷装置１０は、一般の店舗や事務所、一般の家庭などに設置されているネットワーク機能を有した印刷装置であり、用紙等の媒体に各種情報を印刷する。一般の店舗や事務所とは、コンビニエンスストア、スーパーマーケットのサービスカウンター内、百貨店の受付、飲食店や商品販売店の事務室、学校、役所、スポーツ施設等の公共施設などが好適例である。また、一般の家庭とは、アパートやマンション、一戸建ての家屋といった通常の一般的な居住空間である。
印刷装置は、インクジェットプリンター、熱転写プリンター、ドットマトリックスプリンター、レーザープリンター、スキャナーを備えたコピー機、写真画像を記憶装置から読みこんで印刷する写真プリント装置、ＪＩＳ規格のＡ０判やＢ０判など大判用紙やロール紙に印刷する大判プリンター、製図用プリンターなど様々な用途で様々な仕様の印刷装置が対象である。
【００３６】
災害情報システム１は、災害発生時などの有事に、このような様々な設置場所に設置されている印刷装置１０を、災害に係わる情報を印刷して提供する災害時専用の災害情報端末として機能させるシステムである。
【００３７】
サーバー６０は、災害発生時などの有事であっても、稼動可能な電源環境および通信環境を有した堅牢な施設に設置されるサーバー装置である。また、サーバー６０は、有事において情報発信する消防庁、気象庁、地方自治体等の官公庁や、病院、企業、避難指定施設、公共交通機関、気象衛星システム、地域などの防災本部などから情報を収集して、災害に係わる情報を抽出し、さらに印刷装置の設置位置に係わる情報を含めて提供情報を生成する。
サーバー６０は、データベースである印刷装置管理ＤＢ８１を備えている。印刷装置管理ＤＢ８１には、予め登録されている複数の印刷装置１０およびその設置位置等の関連情報を管理している。また、予め登録されていなくても、災害発生後に新規に登録された印刷装置１０を管理するようにしてもよい。
【００３８】
印刷装置１０は、災害許可フラグ４３、残量情報データ４５、診断情報データ４６を記憶部４０（後述する）に有している。災害許可フラグ４３は、印刷装置１０を災害時専用の災害情報端末として機能させるか否かの設定であり、機能させる場合は「ＯＮ」が、機能させない場合は「ＯＦＦ」が設定されている。残量情報データ４５は、印刷に必要な消耗品の有無の情報であり、有る場合は「ＯＫ」、無い場合は「ＮＧ」が設定される。診断情報データ４６は、印刷装置１０の各機能の自己診断チェックを行った結果、正常に動作する場合は「ＯＫ」、正常に動作しない場合は「ＮＧ」が設定される。尚、災害許可フラグ４３は、許可設定記憶部に相当する。
【００３９】
サーバー６０から災害発生を示す信号Ｘａ，Ｘｂ，Ｘｃがブロードキャストによって印刷装置１０へ送信されると、印刷装置１０では、上述の災害許可フラグ４３、残量情報データ４５、診断情報データ４６を確認し、順に「ＯＮ」、「ＯＫ」、「ＯＫ」であれば、印刷装置１０からサーバー６０へ、印刷可能であることを示すレディ信号を送信する。印刷装置１０ａから送信されている信号Ｒａがそのレディ信号である。印刷装置１０ｂでは、残量情報データ４５ｂが「ＮＧ」になっているため、レディ信号は送信されない。また、印刷装置１０ｃにおいても、詳細は省略しているが、「ＯＮ」、「ＯＫ」、「ＯＫ」であり、信号Ｒｃがサーバー６０に対して送信されている。
【００４０】
サーバー６０では、レディ信号を送信した印刷装置１０に対して、提供情報を送信する。サーバー６０は、信号Ｒａを受けると、印刷装置１０ａに対して提供情報データ８５ａを送信する。同様に、サーバー６０は、信号Ｒｃを受けると、印刷装置１０ｃに対して提供情報データ８５ｃを送信する。サーバー６０は、印刷装置１０ｂに対しては提供情報を送信しない。
【００４１】
このようにして、災害情報システム１では、災害時に災害時専用の情報を印刷可能な印刷装置１０の情報を取得して、災害に関する情報を印刷物として提供することができる。また、災害に関する情報としては、印刷装置管理ＤＢ８１において印刷装置１０の設置位置などの位置情報を管理していることから、印刷装置１０の位置情報から想定される有用な情報を提供することができる。そのような情報は、例えば、図４に示す提供情報出力紙２００のように、地図２１０上に印刷された印刷装置１０の位置であるマーク２０１から、安全な避難場所を示すマーク２０２の位置がわかるような情報である（詳細は後述する）。
以降に、このような効果を得ることができる災害情報システム１および災害時専用の情報を印刷する印刷装置１０の詳細について説明する。
【００４２】
（災害情報システム）
図２は、災害情報システムの概略構成を表すブロック図である。
災害情報システム１は、印刷装置１０、およびサーバー６０などから構成され、印刷装置１０とサーバー６０とは上述した通信２により接続されている。
【００４３】
（印刷装置）
印刷装置１０は、測位部１１、印刷部１２、表示部１３、操作部１４、電源部１７、通信部１９、制御部２０、および記憶部４０などから構成されている。
【００４４】
測位部１１は、測位用ＧＮＳＳ（Global Navigation Satellite System）衛星などの測位用衛星から測位情報を受信するセンサー部とアンテナ部、および位置情報算出部（図示は省略）とを有して構成され、印刷装置１０の設置位置の位置情報を出力する。位置情報には、緯度、経度、高度などが含まれている。算出された位置情報は、記憶部４０に位置情報データ４１として格納される。
尚、測位部１１は、必ずしも必須の構成ではなく、備えられない場合は、後述する位置情報取得部２１および操作部１４によって、印刷装置１０を設置する設置者によって設置位置の位置情報が入力されてもよい。
【００４５】
印刷部１２は、プリンターＡＳＩＣ（Application Specific Integrated Circuit）、プリンターエンジン（いずれも図示は省略）などから構成される。プリンターＡＳＩＣは、プリンターエンジンを制御する集積回路であり、制御部２０から印刷指示を受けると、その印刷指示の対象となる画像データ、文字データ等の印刷オブジェクトやそれらの配置情報等に基づいて印刷データを生成し、印刷用紙などの媒体に出力するようプリンターエンジンを制御する。プリンターエンジンは、印刷ヘッドから印刷用紙へインクを吐出することにより印刷を行う周知のインクジェットプリンター機構、トナーを感光体に付着させ用紙に転写して印刷を行う周知の電子写真方式プリンター機構などを有して構成されている。また、プリンターエンジンには、印刷用紙をセットする用紙カセットや印刷物を排出する排出ローラー、印刷物が排紙される排紙トレイなど（いずれも図示は省略）も含まれている。
【００４６】
表示部１３は、ＬＣＤ（Liquid Crystal Display）等を有して構成される表示装置であり、制御部２０により生成された印刷装置１０の操作方法に関する情報や、サーバー６０から受信した情報が表示される。
【００４７】
操作部１４は、表示部１３の表示面を覆うタッチセンサーやタッチパネル等、および操作ボタン等で構成され、設置者やユーザーによって操作された操作信号を制御部２０へ出力する。
操作部１４は、災害発生ボタン１５を備えている。災害発生ボタン１５が押下されると、制御部２０へ災害発生の割り込み処理へ処理が移され、後述する災害情報取得部２７へ災害発生情報が渡される。尚、災害発生ボタン１５は、災害発生操作部に相当する。
【００４８】
電源部１７は、外部のＡＣ電源等から電源ケーブル（図示省略）を介して交流電力を導き、内蔵するＡＣ／ＤＣ変換部（図示省略）で変圧、整流、平滑等の処理を行ない、安定化させた直流電圧を印刷装置１０を構成する各部に供給する。
電源部１７には、外部からの電源の供給と停止とを制御する電源制御回路（図示は省略）が備えられている。電源制御回路は、操作部１４に含まれる電源スイッチのオンオフ操作、および制御部２０の電源管理部３７（後述する）からの制御信号によって制御可能である。
尚、電源部１７には、無停電電源装置（図示は省略）が備えられていてもよい。無停電電源装置は、外部からの入力電源が断になった場合に、一定時間、二次蓄電池または発電装置などから電源を供給することが可能である。
【００４９】
通信部１９は、ネットワークアダプターであり、通信２を介してサーバー６０との間でＩＰ（Internet Protocol）、およびサーバー６０との共通の通信プロトコルを用いて各種データを送受信可能に接続する。通信部１９では、ＩＰアドレス、ＭＡＣ（Media Access Control）アドレスなどを管理している。また、印刷装置１０がメール印刷装置として機能する場合では、通信部１９にはメールクライアントサービスが含まれ、その場合は、通信部１９においてメールアドレスを保有している。尚、メールクライアントサービスは、別途設営されたメールサーバーとの組み合わせで実現してもかまわない。この場合、通信部１９にメールクライアントサービスを搭載しなくてもよい。また、印刷装置１０にＷｅｂサーバー機能を備えることもでき、その場合では、通信部１９において、ＵＲＬ（Uniform Resource Locator）を保有している。尚、ＩＰアドレス、ＭＡＣアドレス、メールアドレス、ＵＲＬなどの情報は、ネットワーク上で印刷装置１０を識別する情報として記憶部４０の装置情報データ４２に格納されている。
【００５０】
制御部２０は、ＣＰＵ（Central Processing Unit）等のプロセッサーであり、印刷装置１０を構成する測位部１１、印刷部１２、表示部１３、操作部１４、電源部１７、通信部１９、および記憶部４０などの各部を統括的に制御する制御装置および演算装置である。
制御部２０では、位置情報取得部２１、災害許可設定部２３、登録部２５、災害情報取得部２７、動作情報取得部３０、判定部３３、提供情報取得部３５、主制御部３４、電源管理部３７、および通信制御部３９などの機能部を含み構成されている。尚、これらの機能部は一部であり、必ずしも必須の構成要素ではない。また、他の機能部を含めてもよい。
【００５１】
位置情報取得部２１は、印刷装置１０の設置位置を示す位置情報を取得する。測位部１１が備えられている場合では、測位部１１から位置情報を取得する。測位部１１から位置情報を取得できない場合は、操作部１４および表示部１３を制御して、印刷装置１０を設置する設置者に、設置位置を入力させるよう案内し、入力された設置位置から位置情報を取得する。設置者が保有する携帯端末から位置情報を転送してもよい。取得した位置情報を記憶部４０に位置情報データ４１として格納する。
位置情報は、測位部１１により取得される設置位置の緯度、経度、高度の測地系座標以外にも、ＵＴＭグリッド座標、建物の設置フロアーの階数、他の目標物からの位置関係の情報、などが含まれていてもよい。尚、ＵＴＭグリッドは、国際的にＭＧＲＳ（Military Grid Reference System）と呼ばれ、地球上の位置を特定する方法、およびこの方法により表現される位置情報の形態である。
【００５２】
災害許可設定部２３は、印刷装置１０を災害時専用の災害情報端末として機能させるか否かを設定し、その設定結果を記憶部４０の災害許可フラグ４３に格納する。災害許可設定部２３は、表示部１３および操作部１４を制御して、印刷装置１０を管理する管理者に対して「災害時などの有事に、印刷装置１０を災害情報端末として機能させるか否か」の質問文言を表示し、回答を入力させる。機能させてもよい場合は、災害許可フラグ４３に「ＯＮ」を格納し、機能させたくないという回答の場合は、災害許可フラグ４３に「ＯＦＦ」を格納する。
災害許可設定部２３は、操作者の認証をする認証機能を有していても良く、印刷装置１０の管理者を認証した場合に限って、上述の質問文言を表示してもよい。
【００５３】
登録部２５は、印刷装置１０の設置位置などの登録情報をサーバー６０へ登録する。登録部２５は、印刷装置１０の設置位置が変更された後に実行される機能部であり、位置情報取得部２１、災害許可設定部２３と協働し、記憶部４０に記憶された位置情報データ４１、災害許可フラグ４３を読み出し、登録情報としてサーバー６０へ送信する。
また、登録部２５では、ネットワーク関連の設定も行い、設置者または管理者により設定されたネットワーク上で印刷装置１０を識別するＩＰアドレス、ＭＡＣアドレス、メールアドレス、ＵＲＬなどの情報を記憶部４０の装置情報データ４２に格納し、サーバー６０との通信において利用する。
【００５４】
災害情報取得部２７は、災害が発生したことを示す災害発生情報を取得する。災害情報取得部２７は、通信部１９を制御して、サーバー６０から発信される災害発生信号を受信する。災害情報取得部２７は災害発生信号を受信すると、主制御部３４（後述する）へ通知する。通知の方法は、例えば、最優先の割り込み処理により主制御部３４へ処理を移す方法、別プロセスとして主制御部３４が実行されている場合はプロセス間通信や共有メモリーを介して情報交換を行うセマフォなどを用いて実現する。
また、災害情報取得部２７は、災害発生ボタン１５の押下により実行された割り込み処理を受けて災害発生情報を取得することもできる。このことにより、災害が発生しているにもかかわらず、何等かの理由により、サーバー６０から災害発生信号が印刷装置１０に対し送信されなかった場合、あるいは、サーバー６０からの災害発生信号が受信できなかった場合であっても、ユーザーの災害発生ボタン１５の押下により、災害発生情報を取得できる。また、サーバー６０に対し、印刷装置１０が災害発生情報を取得したことを通知することができる。
【００５５】
動作情報取得部３０は、印刷装置１０の動作可否に係わる情報を取得する機能部であり、消耗品管理部３１および診断部３２などの機能部を有している。
消耗品管理部３１は、印刷部１２において消費される消耗品の残量情報を取得する。具体的には、各色ごとのインクやトナー等の記録材の残量、各サイズごとの用紙などの媒体の残量の情報を取得する。記録材の残量は、例えば、印刷装置１０において記録材が交換されたタイミングから印刷量に応じた消費量が減算されて算出される。媒体の残量は、例えば、用紙カセット等の媒体格納部（図示は省略）に設けられた光学センサー（図示は省略）などによって検出可能な媒体の厚みから算出される。消耗品の残量を取得する方法は上述した方法に限られず、公知の様々な方法を用いることができる。
取得した消耗品の残量情報は、記憶部４０へ残量情報データ４５として格納される。
【００５６】
診断部３２は、印刷装置１０の印刷部１２、表示部１３、操作部１４、電源部１７、通信部１９、記憶部４０などの各部を自己診断するプログラム４９を実行し、各部の動作状態の結果を取得する。プログラム４９には、上述した各部を駆動させる記述と、駆動後にチェックする記述で構成され、制御部２０に実行されることにより実現される。印刷部１２では、例えば、印刷ヘッドを光学センサーで検出可能な所定の位置まで移動させて、実際に光学センサーで検出できたかどうか、表示部１３や記憶部４０では、所定のパターンデータをメモリーに書き込んで再度読み込み、正しく記憶されていたかどうか、電源部１７では入力電圧が安定して供給されているかどうか、などの公知の技術を用いてチェックが行われる。各部を確認した診断情報の結果は、記憶部４０へ診断情報データ４６として格納される。
尚、残量情報データ４５および診断情報データ４６は、動作情報に相当する。
【００５７】
判定部３３は、動作情報に基づいて印刷装置が印刷可能であるか否かを判定する。判定した結果、印刷可能である場合は、「ＯＫ」を、印刷可能でない場合は「ＮＧ」を主制御部３４および記憶部４０へ出力する。動作情報は、上述した残量情報データ４５および診断情報データ４６の情報である。判定部３３は、残量情報データ４５および診断情報データ４６を読み込む。
残量情報データ４５からは、残量を所定量と比較する。所定量は、例えば、少なくともＡ４サイズの用紙に印刷物を数十枚（例えば、５０枚）程度印刷できるといった記録材および媒体の分量である。また、所定量は、災害時ではない通常使用時に記録材の交換を警告するための分量や、ネットワークを介して記録材や媒体を注文する際に判定される分量、などであってもよい。残量が所定量以上ある場合は、「ＯＫ」として判定し、所定量未満である場合は「ＮＧ」として判定する。判定した結果である「ＯＫ」または「ＮＧ」の情報を記憶部４０の残量情報データ４５へ格納（追加）する。
診断情報データ４６からは、各部の診断結果が全て動作状態が問題なければ「ＯＫ」として判定し、いずれかの問題があれば「ＮＧ」として判定する。判定した結果である「ＯＫ」または「ＮＧ」の情報を記憶部４０の診断情報データ４６へ格納（追加）する。
判定部３３は、残量情報データ４５および診断情報データ４６の判定結果がいずれも「ＯＫ」の場合に、判定部３３の判定結果を「ＯＫ」とする。いずれかが「ＮＧ」の場合は判定結果を「ＮＧ」とする。
尚、判定部３３では、残量情報データ４５および診断情報データ４６の判定結果のいずれかが「ＮＧ」であっても、印刷できる可能性があれば「ＯＫ」と判定してもよい。その場合は、判定結果「ＯＫ」の条件として、残量情報データ４５および診断情報データ４６の残量情報や診断結果の内容が、主制御部３４によってサーバー６０へ送信される。尚、本機能の詳細については変形例に記載する。
【００５８】
主制御部３４は、印刷装置１０の動作状態が印刷可能であると判定した場合は、サーバー６０に対して印刷可能である旨を示すレディ信号を送信する。尚、レディ信号は印刷可能であることを示す信号情報に相当する。
主制御部３４は、災害が発生し災害情報取得部２７により処理が移されると、災害許可フラグ４３を読み出して「ＯＮ」である場合は、動作情報取得部３０の機能を実現する。その後、判定部３３の機能を実現し、判定結果が「ＯＫ」である場合は、通信部１９を制御して、サーバー６０へレディ信号を送信する。レディ信号は、サーバー６０と印刷装置１０との間で定義された信号であればどのような信号でも良く、例えば、「Ｒｅａｄｙ」などの文字情報が転送されてもよい。
また、レディ信号に、位置情報データ４１や装置情報データ４２の内容を含めてデータパッケージ化し、サーバー６０へ送信してもよい。
また、レディ信号に、残量情報データ４５や診断情報データ４６の内容を含めてデータパッケージ化し、サーバー６０へ送信してもよい。
尚、レディ信号、位置情報データ４１、装置情報データ４２、残量情報データ４５、診断情報データ４６のうち少なくとも１つを含むデータパッケージは、印刷可能情報に相当する。
【００５９】
提供情報取得部３５は、主制御部３４によりレディ信号がサーバー６０へ送信されると、通信部１９を制御してサーバー６０から送信される提供情報を待つ。サーバー６０から提供情報が送信されると、提供情報を受信し印刷部１２へ出力する。
【００６０】
電源管理部３７は、電源部１７を制御して印刷装置１０の各部への電源供給を管理する。電源管理部３７では、外部からのＡＣ電源の供給が遮断された場合は、電源供給を上述した無停電電源に切り替える。また、災害発生時には、提供情報がいつ送信されても印刷できるように、電源スイッチのオンオフ操作を無効に制御し、常に通電するように制御する。尚、いわゆるパワーセーブモードのように通信部１９と主制御部３４のみに通電しておき、その他の部位への通電をしないことにしてもよい。この場合、提供情報を受信したことをトリガーとして、印刷装置１０の各部への通電を開始する。このようにして、電源管理部３７によって、災害発生時であっても、印刷装置１０の各部へ安定した電源供給を行うことができる。
【００６１】
通信制御部３９は、通信部１９を制御して、災害が発生した場合に、サーバー６０と通信２を確立し災害時専用の通信パケットを用いて相互通信を行う。また、災害発生時には、サーバー６０との通信２を優先して、他のネットワーク上の機器からのデータ通信を遮断する。
【００６２】
記憶部４０は、ＲＯＭ（Read Only Memory）やフラッシュＲＯＭ、ＲＡＭ（Random Access Memory）、ＨＤＤ（Hard Disk Drive）、ＳＳＤ（Solid State Drive）等の記憶装置によって構成され、位置情報データ４１、装置情報データ４２、災害許可フラグ４３、残量情報データ４５、診断情報データ４６、およびプログラム４９等を記憶している。
【００６３】
位置情報データ４１は、印刷装置１０の設置位置を示す位置情報に関するデータであり、具体的には、設置位置の緯度、経度、高度の測地座標系データ、ＵＴＭグリッド座標のデータ、建物における設置フロアーの階数および部屋の名称のデータ、他の目標物からの位置関係のデータなどが格納されている。
装置情報データ４２は、ネットワーク上で印刷装置１０を識別（特定）するためのデータであり、具体的には、印刷装置１０に割り振られたＩＰアドレス、ＭＡＣアドレス、メールアドレス、およびＵＲＬなどのデータが格納されている。
災害許可フラグ４３は、災害許可設定部２３により格納されたデータであり、具体的には、「ＯＮ」または「ＯＦＦ」を示すデータが格納されている。
残量情報データ４５は、消耗品管理部３１および判定部３３により格納されたデータであり、印刷装置１０において使用される消耗品の残量のデータ、および残量の有無を表す「ＯＫ」または「ＮＧ」を示すデータが格納されている。
診断情報データ４６は、診断部３２および判定部３３により格納されたデータであり、印刷装置１０の各部を診断した結果を示すデータと、総合して問題ないか否かを表す「ＯＫ」または「ＮＧ」を示すデータが格納されている。
プログラム４９には、印刷装置１０の印刷部１２、表示部１３、操作部１４、電源部１７、通信部１９、記憶部４０などの各部を自己診断するプログラム命令が記述されている。プログラム４９は、制御部２０により読み込まれ実行されることによって、診断部３２の機能が実現される。
【００６４】
（サーバー）
サーバー６０は、表示部６１、操作部６３、通信部６７、処理部７０、および記憶部８０などで構成されている。
【００６５】
表示部６１は、ＬＣＤ等を有して構成される表示装置であり、処理部７０から出力される表示信号に基づいた各種表示処理を行う。
操作部６３は、キーボード、マウス、タッチパネルなどの入力装置である。
通信部６７は、ネットワークアダプターであり、通信２を介して印刷装置１０との間でＩＰおよび印刷装置１０との共通の通信プロトコルを用いて各種データを送受信可能にする。
【００６６】
処理部７０は、ＣＰＵ等のプロセッサーを有して構成され、サーバー６０を構成する表示部６１、操作部６３、通信部６７、および記憶部８０を含む各部を統括的に制御する制御装置および演算装置である。
処理部７０は、登録部７１、災害通知部７３、提供情報生成部７５、および提供情報送信部７７などの機能部を含み構成されている。尚、これらの機能部は一部であり、必ずしも必須の構成要素ではない。また、他の機能部を含めてもよい。
【００６７】
登録部７１は、サーバー６０で管理する複数の印刷装置をサーバー６０に登録する。例えば、印刷装置１０が設置場所に設置された場合は、印刷装置１０の登録部２５から印刷装置１０の登録情報が送信される。登録部７１は、登録情報を取得すると、印刷装置１０を識別するための識別コードを採番し、記憶部８０の印刷装置管理ＤＢ８１へ印刷装置１０の各種情報を格納する。登録情報には、少なくとも印刷装置１０に格納されていた位置情報データ４１、災害許可フラグ４３の内容が格納されている。また、印刷装置１０をネットワーク上で識別するために必要となる装置情報データ４２の内容も格納されている。
【００６８】
災害通知部７３は、災害発生のトリガーを受けて、災害が発生したことを印刷装置１０へ通知する。災害発生のトリガーは、操作部６３または通信部６７を介して入力される割り込み処理である。災害等の有事が発生すると、有事の内容によって対応する所定の機関（例えば、地震災害の場合では気象庁所管の機関）から、緊急情報が発信される。サーバー６０では、緊急情報に連動する信号を監視し、信号を検出すると災害通知部７３が起動される。災害通知部７３が起動されると、印刷装置１０を含む印刷装置管理ＤＢ８１で管理されている印刷装置へ、災害発生信号をブロードキャスト送信する。
【００６９】
提供情報生成部７５は、印刷装置１０に送信する提供情報を生成し、記憶部８０へ提供情報データ８５として格納する。提供情報生成部７５は、印刷装置１０からレディ信号を受信すると、印刷装置１０の位置情報に関連する情報を、インターネット上の様々なサイトなどから収集する。例えば、位置情報から、近隣の避難場所や近隣の危険地域、近隣の病院などの情報を取得してもよい。
提供情報生成部７５では、このような情報を収集したのち、印刷装置１０の位置情報に対して有効な情報が提供情報データ８５として生成される。後述する提供情報出力紙２００（図４）、提供情報出力紙２２０（図５）は、その一例である。
【００７０】
提供情報送信部７７は、提供情報を印刷装置１０へ送信する。レディ信号が送信された印刷装置１０に対して、同じく印刷装置１０に対して生成された提供情報データ８５を読み込んで送信する。
また、印刷装置１０へは、提供情報データ８５を印刷する指示コマンドと共に提供情報データ８５を送信する。
尚、提供情報送信部７７および通信部６７は、サーバー通信部に相当する。
【００７１】
記憶部８０は、ＲＯＭやフラッシュＲＯＭ、ＲＡＭ、ＨＤＤ、ＳＳＤ等の記憶装置によって構成され、印刷装置管理ＤＢ８１および提供情報データ８５などが格納されている。また、記憶部８０にはリレーショナルデータベースなどのデータベースエンジンが搭載され、印刷装置管理ＤＢ８１で管理されるデータの登録、更新、削除、検索等の各処理およびトランザクション処理が実行される。
尚、記憶部８０は、サーバー記憶部に相当する。
【００７２】
印刷装置管理ＤＢ８１は、印刷装置管理テーブル８３などのテーブルを含み構成されている。印刷装置管理テーブル８３には、登録されている複数の印刷装置が設置されている設置位置の情報が格納されている。設置位置の情報としては、設置位置の緯度、経度、高度の測地系座標、ＵＴＭグリッド座標、建物の設置フロアーの階数、他の目標物からの位置関係の情報、などが含まれていてもよい。また、印刷装置管理テーブル８３には、印刷装置１０側で設定されている災害許可フラグ４３、装置情報データ４２の情報も格納されている。
【００７３】
提供情報データ８５は、上述したように提供情報生成部７５により生成された提供情報である。
【００７４】
（印刷方法）
図３は、災害情報システムの処理を表すシーケンス図である。本シーケンス図では、印刷装置１０、およびサーバー６０における各機能部が相互に連携して提供情報をサーバー６０から印刷装置１０へ送信するまでの処理を時間の流れに沿って（図３の上から下へ）表している。尚、本シーケンスは印刷方法に相当する。
【００７５】
印刷装置１０の位置情報取得部２１、災害許可設定部２３、登録部２５では、位置情報データ４１ａ、装置情報データ４２ａ、災害許可フラグ４３ａを取得（位置情報取得工程、）または生成して、サーバー６０へ送信する（通信工程）。また、災害許可フラグ４３を、記憶部４０に記憶する。
【００７６】
サーバー６０では、登録部７１が、印刷装置１０の位置情報データ４１ａ、装置情報データ４２ａ、災害許可フラグ４３ａの内容を印刷装置管理テーブル８３に格納する。
【００７７】
災害発生Ｘが発生すると、災害発生トリガーがかかり、サーバー６０の災害通知部７３が起動される。
【００７８】
災害通知部７３は、災害が発生したことを示す信号Ｘａを印刷装置１０へ送信する。印刷装置１０では、災害情報取得部２７が信号Ｘａを受信する（災害情報取得工程）と、主制御部３４に処理を移す。
【００７９】
主制御部３４は、災害許可フラグ４３を読み出して、災害許可フラグ４３の内容を判定し、「ＯＮ」であれば、動作情報取得部３０へ処理を移す。「ＯＦＦ」の場合は、通常モードに遷移する。
【００８０】
動作情報取得部３０では、印刷装置１０の消耗品の残量情報および印刷装置１０の各部の動作状態を取得し（動作情報取得工程）判定部３３に処理を移す。
判定部３３では、残量情報および動作状態を判定する（判定工程）。残量情報および動作状態の両方が共に「ＯＫ」であった場合は、主制御部３４に処理を移し、いずれかが「ＮＧ」であった場合には、通常モードに遷移する。
【００８１】
主制御部３４は、印刷可能であることを示すレディ信号（信号Ｒａ）をサーバー６０へ送信する（主制御工程）。
【００８２】
サーバー６０では、提供情報生成部７５が、信号Ｒａを送信した印刷装置１０に関わる位置情報を含む情報を印刷装置管理テーブル８３から読み込む。サーバー６０では、災害発生後から、有事において情報発信する機関から情報を収集する。また、インターネット上の様々なサイトからも関連する情報を収集する。提供情報生成部７５では、これらの情報から、印刷装置１０が設置されている位置情報に係わる情報を抽出し、提供情報データ８５ａを生成する。提供情報送信部７７は、生成した提供情報データ８５ａを印刷指示コマンドと共に印刷装置１０へ送信する。
【００８３】
印刷装置１０では、提供情報取得部３５によって提供情報データ８５ａを取得すると、印刷部１２へ提供情報データ８５ｂとして出力する（印刷工程）。
【００８４】
このようなシーケンスによって、災害発生Ｘの発生以降、印刷装置１０の災害許可フラグ４３が「ＯＮ」で、残量情報データ４５および診断情報データ４６が「ＯＫ」であれば、印刷装置１０に対して印刷装置１０が設置されている位置情報に係わる提供情報がサーバー６０から送信され、印刷装置１０において印刷されることになる。印刷装置１０を、災害に係わる情報を印刷して提供する災害時専用の災害情報端末として機能させることができている。
【００８５】
（提供情報の出力例）
次に印刷された提供情報データ８５ｂの印刷出力例について説明する。
図４および図５は提供情報の印刷出力例を示す図である。
図４に示す提供情報出力紙２００には、印刷装置１０の位置情報に基づいて収集された災害時において有用な情報が含まれている。
提供情報出力紙２００には、ＵＴＭグリッド座標で表された地図２１０が印刷されている。地図２１０上の緯度方向の格子が７２〜７５まで、経度方向の格子が６０〜６２まで記載されている。尚、図４に示すＵＴＭグリッド座標に対応する地図２１０は架空の地図である。
地図２１０には、マーク２０１〜２０６が印刷されている。マークの形状は、施設や場所の種類を表し、マークの大きさは地図上の影響範囲、マークのパターンは危険度を表している。
マーク２０１は、印刷装置１０の設置位置を示している。
マーク２０２は、白抜きパターン（安全）で、安全な避難場所の位置を示している。
マーク２０３は、網点のパターン（危険）で、火災地域の範囲を示している。
マーク２０４，２０５は、白抜きパターン（安全、収容可）で、総合病院の位置を示している。
マーク２０６は、黒パターン（収容不可）で、総合病院の位置を示している。
このようにして提供情報出力紙２００には、地図２１０の中央に印刷装置１０の設置位置を示し、印刷装置１０の位置から避難場所や病院の情報、および危険な範囲が認識しやすい情報として印刷されている。
【００８６】
図５に示す提供情報出力紙２２０は、印刷装置１０の設置位置に関連する人物の避難情報が印刷されている例である。提供情報出力紙２２０には、情報２２１〜２２６が印刷されている。
情報２２１は、提供情報出力紙２２０の取り扱いについて指示する情報である。情報２２１には、「この用紙を掲示してください。」と記載されているため、印刷された提供情報出力紙２２０は最寄りの掲示板等に貼り付けられる。
情報２２２は、情報の対象者となる人物の氏名である。情報２２３は、情報の対象者の状態を示す内容である。情報２２４は、情報の対象者の所在地を示す内容である。情報２２５は、情報の対象者の安否情報を示す内容である。情報２２６は、情報提供日時を示す情報である。
提供情報出力紙２２０は、印刷装置１０の設置位置に係わる情報である。この場合では、例えば、情報２２２に示す人物が、印刷装置１０の設置位置の近隣に居住しているものの、出かけている先で被災してしまい自宅の家族と連絡が取れないような場合に、情報２２２に示す人物およびその家族にとって有用な情報である。
【００８７】
以上述べたように、本実施形態に係わる災害情報システム１においては、以下の効果を得ることができる。
災害発生Ｘが発生すると、印刷装置１０の主制御部３４は、動作情報取得部３０を制御し、印刷装置１０の消耗品の残量情報および各部の動作状態の情報を取得する。判定部３３は、印刷装置１０が印刷可能か否か判定する。判定部３３により、印刷可能と判定された場合は、印刷可能であることを示すレディ信号（信号Ｒａ）をサーバー６０へ送信する。サーバー６０側では、信号Ｒａを送信した印刷装置１０は印刷可能であることを識別できる。提供情報生成部７５では、印刷装置１０の位置情報に基づいた提供情報を生成する。そして、提供情報を印刷装置１０へ送信する。以上のようにして、災害情報システム１においては、平時において通常利用されている印刷端末としての印刷装置１０は、災害発生時に災害時専用の災害情報端末として機能することができる。
従って、災害時などの有事において印刷可能な印刷装置を有効に利用して、災害に関する情報を印刷物として提供することができる。
【００８８】
（変形例）
本発明を適用可能な実施形態は、上記の実施形態に限定されることなく、本発明の趣旨を逸脱しない範囲で適宜変更可能である。以下、本発明の変形例を説明する。以下において、実施形態と同様の構成には同様の符号を付し、詳細な説明を省略する。
【００８９】
（変形例１）
上述の実施形態では、災害発生時において印刷装置１０の各部の機能を災害時専用の災害情報端末として機能させる構成であったが、そのような構成に限定されない。例えば、印刷装置１０は、通常モードおよび災害モードの２つの内部状態を有し、印刷装置１０の各部をそれぞれのモード毎に備える構成であってもよい。
図６は、通常モードおよび災害モードの概要を説明する図である。ここで、電源管理部３７および通信制御部３９を例にして説明する。
主制御部３４は、「通常モード」と「災害モード」の内部状態を有している。「通常モード」は、印刷装置の製品の性能を発揮する機能を実現するための、いわゆる通常動作する状態である。「災害モード」では、通常モードで動作する機能が制限され、災害時に必要な機能のみが動作可能になる。つまり、提供情報を印刷する以外の機能は制限されており、提供情報の印刷以外で消耗品を消費することを防ぐことができる。
【００９０】
電源管理部３７は、通常電源部３７ａと災害電源部３７ｂとを有している。また、通信制御部３９は、通常通信部３９ａと災害通信部３９ｂとを有している。
主制御部３４では、内部状態が「通常モード」では、通常電源部３７ａと通常通信部３９ａとの機能が実現され、内部状態が「災害モード」では、災害電源部３７ｂと災害通信部３９ｂとの機能が実現される。
【００９１】
災害電源部３７ｂは、外部のＡＣ電源等が遮断された場合であっても、上述した無停電電源等により電源供給が遮断されないように制御された電源制御回路である。災害電源部３７ｂでは、「災害モード」において機能する各部へ（例えば印刷部１２は必須）優先的に電源を供給する。また、外部のＡＣ電源から電源供給されている場合でも、電源スイッチのオンオフの操作により電源がオフにならないように制御されている。つまり、災害が発生した場合では、電源供給を継続するように制御されている。
【００９２】
災害通信部３９ｂは、サーバー６０以外のネットワーク上の機器からのデータ通信を遮断し（受信しないで）、サーバー６０と印刷装置１０との間のデータ通信を行うように制御する機能部である。また、サーバー６０と印刷装置１０との間でのみ通信可能な通信プロトコルが用いられてもよい。
【００９３】
同様にして、他の各部においても、「通常モード」、「災害モード」用に機能を分けて管理することができる。例えば、表示部１３および操作部１４においても、「災害モード」では、「通常モード」で機能するコピー機能や印刷設定等の機能が無効にされ、災害時に係わる情報のみを入力および表示することができるようにしてもよい。
【００９４】
本変形例によれば、印刷装置１０の各部に「通常モード」と「災害モード」とが備えられており、災害発生時には「災害モード」のみを稼動させるため、使用する機能の消費電力を抑えることができる。災害時において蓄電池などにより電源供給されているような場合には効果がある。また、消耗品の消費も抑えられる。また、「災害モード」では、「通常モード」に比べて機能が制限されるので、メニューなどが単純になり、簡単な操作を実現することができるので、災害時などの特殊な状況において誰もが簡単に操作することができる。
【００９５】
（変形例２）
上述の実施形態および変形例において、判定部３３は、残量情報データ４５として「ＯＫ」または「ＮＧ」を出力していたが、具体的な消耗品の残量を出力してもかまわない。例えば、記録材および媒体の残量から、あと何枚の印刷が可能かをサーバー６０に通知してもよい。こうすることによりサーバー６０は印刷装置１０の印刷可能枚数を把握することができるので、複数枚におよぶ提供情報を印刷する際に、途中で印刷が終了してしまうことを防ぐことができる。また、特定色の記録材のみが終了してしまった場合において、その情報をサーバー６０に通知してもよい。例えば、黒色の記録材が終了しても、他色の記録材が残っていれば、サーバー６０は、残っている記録材を使用した印刷を印刷装置１０に対し指示することができる。このことにより、消耗品の残量が少なかったり、一部の消耗品が無くなってしまった場合でも、災害情報端末として機能することができる。
【００９６】
（変形例３）
上述の実施形態および変形例において、印刷装置１０の自己診断チェックを行った結果、一部の機能のみ正常動作しない場合、その情報をサーバー６０に通知してもよい。例えば、媒体を保持するトレイが２つあり、トレイ１はＡ４サイズの媒体がセットされており、トレイ２はＡ３サイズの媒体がセットされているとする。自己診断チェックの結果、トレイ１は正常動作し、トレイ２は正常動作しないことが判明した場合、印刷装置１０はサーバー６０に対し、その旨を通知する。サーバー６０は、Ａ３サイズでの印刷ができないことを把握できるので、提供情報の印刷サイズをＡ４サイズに制限して送信することができる。このことにより、一部の機能が正常動作しない場合でも、災害情報端末として機能することができる。
【００９７】
（変形例４）
上述の実施形態および変形例では、災害時専用の災害情報端末として印刷装置１０を例に説明したが、災害情報端末としては印刷装置１０でなくてもよい。例えば、印刷機能を備えない、ＴＶ（Television）モニターや液晶プロジェクターなどの大型の表示装置を備えた機器でもかまわない。これらの機器が、上述の「災害モード」においてのみ機能させる表示部１３、操作部１４、電源部１７、通信部１９、および制御部２０などを備えることにより、災害発生時に災害時専用の災害情報端末として機能することができる。
【００９８】
（変形例５）
サーバー６０の表示部６１では、印刷装置管理ＤＢ８１において管理されている複数の印刷装置を、それらの位置情報に基づいて地図画像上に表示してもよい。サーバー６０において、特定の印刷装置へ提供する提供情報を地図情報を参照して的確に効率良く生成することができる。また、表示部６１には印刷装置の装置情報などを表示してもよい。
【００９９】
（変形例６）
サーバー６０では、印刷装置管理ＤＢ８１において災害時専用の災害情報端末として稼動している装置の位置情報を、携帯電話やスマートフォン、ＰＤＡ（Personal Digital Assistant）、ＰＣ、などの情報機器に送信してもよい。それらの情報機器を携帯するユーザーは、自身の情報機器に送信された災害情報端末の位置情報を参照して最寄りの災害情報端末の位置を知ることができる。また、サーバー６０は、情報機器から情報機器の位置情報を取得して、情報機器の位置情報から最も近い位置の災害情報端末まで誘導する情報を情報機器へ送信してもよい。このようにすることで、情報機器を携帯するユーザーを、最寄の災害情報端末まで誘導することができる。
【符号の説明】
【０１００】
１…災害情報システム、２…通信、１０，１０ａ，１０ｂ，１０ｃ…印刷装置、１１…測位部、１２…印刷部、１３…表示部、１４…操作部、１５…災害発生ボタン、１７…電源部、１９…通信部、２０…制御部、２１…位置情報取得部、２３…災害許可設定部、２５…登録部、２７…災害情報取得部、３０…動作情報取得部、３１…消耗品管理部、３２…診断部、３３…判定部、３４…主制御部、３５…提供情報取得部、３７…電源管理部、３７ａ…通常電源部、３７ｂ…災害電源部、３９…通信制御部、３９ａ…通常通信部、３９ｂ…災害通信部、４０…記憶部、４１，４１ａ…位置情報データ、４２，４２ａ…装置情報データ、４３，４３ａ…災害許可フラグ、４５，４５ｂ…残量情報データ、４６…診断情報データ、４９…プログラム、６０…サーバー、６１…表示部、６３…操作部、６７…通信部、７０…処理部、７１…登録部、７３…災害通知部、７５…提供情報生成部、７７…提供情報送信部、８０…記憶部、８１…印刷装置管理ＤＢ、８３…印刷装置管理テーブル、８５，８５ａ，８５ｂ，８５ｃ…提供情報データ、２００，２２０…提供情報出力紙。
【図１】
2017077629.tif 000003
【図２】
2017077629.tif 000004
【図３】
2017077629.tif 000005
【図４】
2017077629.tif 000006
【図５】
2017077629.tif 000007
【図６】
2017077629.tif 000008